(57)【要約】【課題】  マンホール内に管口を突出させない光ケーブル用の地下管路であっても光ケーブル等の線条体を傷つけることなく安定してガイドでき、構造が簡易で設置が容易なケーブル通過摩擦防止器具を提供する。【解決手段】  地下管路２の管口３に設けられ地下管路２に布設する線条体５を管口３の内周面１０から浮かせるようにガイドするケーブル通過摩擦防止器具１において、管口３に嵌入する筒体からなり、筒体内に線条体５を挿通させるためのスリット８を有するスリーブ部材４と、スリーブ部材４に挿入或いはスリーブ部材４から抜き出される線条体５をスリーブ部材４の内周面１０より浮くようにガイドするローラ６と、ローラ６をスリーブ部材４に保持する支持具７とを備えたものである。【選択図】  図１
2006115657.tif 000002
【特許請求の範囲】
【請求項１】
地下管路の管口に設けられ地下管路に布設する線条体を上記管口の内周面から浮かせるようにガイドするケーブル通過摩擦防止器具において、上記管口に嵌入する筒体からなり、その筒体内に上記線条体を挿通させるためのスリットを有するスリーブ部材と、該スリーブ部材に挿入或いはスリーブ部材から抜き出される線条体をスリーブ部材の内周面より浮くようにガイドするローラと、そのローラをスリーブ部材に保持する支持具とを備えたことを特徴とするケーブル通過摩擦防止器具。
【請求項２】
上記支持具は、固定アーム部材と、可動アーム部材とからなり、固定アーム部材がスリットを境にスリーブ部材の一側に取り付けられ、可動アーム部材は、スリットの上方で固定アーム部材に可動自在に取り付けられ、固定アーム部材と可動アーム部材の先端間でローラを回転自在に支承する請求項１記載のケーブル通過摩擦防止器具。
【請求項３】
上記可動アーム部材は、固定アーム部材に締付ネジを介して取り付けられ、締付ネジを緩めることでスリーブ部材のスリットを開放するように可動される請求項２記載のケーブル通過摩擦防止器具。
【請求項４】
ローラは、スリーブ部材の内周面の曲率に合わせて鼓状に形成される請求項１〜３いずれかに記載のケーブル通過摩擦防止器具。
【請求項５】
ローラは固定アーム部材に設けた支持軸に回転自在に保持され、可動アーム部材には、上記支持軸と係合する係合穴が形成される請求項１〜４いずれかに記載のケーブル通過摩擦防止器具。
【発明の詳細な説明】
【技術分野】
【０００１】
本発明は、地下管路の管口に設けられ地下管路に布設する線条体を管口の内周面から浮かせるようにガイドするケーブル通過摩擦防止器具に関するものである。
【背景技術】
【０００２】
マンホールから延びる地下管路に光ケーブルを繰り出して敷設する場合などに光ケーブルや光ケーブルを牽引する牽引ロープをガイドする方法としては、図８に示すようにマンホール１７内に光ケーブル５ｂや牽引ロープ５ａをガイドするための滑車２０を設けるものが知られている。この方法で用いる滑車２０は、ワイヤ２１を介してマンホール１７の内壁に連結され、光ケーブル５ｂや牽引ロープ５ａから受ける張力と、ワイヤ２１の張力とのバランスで所定の位置に浮いた状態で保持されるようになっている。
【０００３】
また、ケーブルドラム２２と地下管路２との間に光ケーブル５ｂを挿通させる通過ダクトスリーブ（図示せず）を設け、この通過ダクトスリーブで光ケーブル５ｂをガイドする方法もある。
【０００４】
さらにまた、特許文献１記載のようにマンホール内に突出する地下管路の管口にネジ式の係止治具でガイドコロを取り付け、大径の通信ケーブルをガイドするようにしたものが知られている。
【０００５】
【特許文献１】特開平１１−２５２７３４号公報
【発明の開示】
【発明が解決しようとする課題】
【０００６】
ところで、滑車２０で光ケーブル５ｂや牽引ロープ５ａをガイドする方法にあっては、複数本のワイヤ２１をバランスよく張らなければならないため、設置作業が容易でないという課題があると共に、光ケーブル５ｂや牽引ロープ５ａの牽引と繰出しとのタイミングがずれるなどして光ケーブル５ｂや牽引ロープ５ａが弛むと、滑車２０がバランスを崩して位置ずれを起こすおそれがあり、光ケーブル５ｂや牽引ロープ５ａを安定してガイドするのが難しいという課題があった。
【０００７】
また、通過ダクトスリーブで光ケーブル５ｂをガイドする方法にあっては、通過ダクトスリーブのカーブが急であると、通過ダクトスリーブに光ケーブル５ｂが擦れ、傷ついてしまうという課題があった。
【０００８】
そして、地下管路の管口にネジ式の係止治具でガイドコロを取り付ける方法にあっては、マンホール内に管口を突出させない光ケーブル用の地下管路に上記ガイドコロを取り付けることはできないという課題があり、上記ガイドコロは、構造が複雑であると共に、地下管路に取り付ける作業も厳重、煩雑であるという課題があった。
【０００９】
そこで本発明の目的は、上記課題を解決し、マンホール内に管口を突出させない光ケーブル用の地下管路であっても光ケーブル等の線条体を傷つけることなく安定してガイドでき、構造が簡易で設置が容易なケーブル通過摩擦防止器具を提供することにある。
【課題を解決するための手段】
【００１０】
上記課題を解決するために本発明は、地下管路の管口に設けられ地下管路に布設する線条体を上記管口の内周面から浮かせるようにガイドするケーブル通過摩擦防止器具において、上記管口に嵌入する筒体からなり、その筒体内に上記線条体を挿通させるためのスリットを有するスリーブ部材と、該スリーブ部材に挿入或いはスリーブ部材から抜き出される線条体をスリーブ部材の内周面より浮くようにガイドするローラと、そのローラをスリーブ部材に保持する支持具とを備えたものである。
【００１１】
上記支持具は、固定アーム部材と、可動アーム部材とからなり、固定アーム部材がスリットを境にスリーブ部材の一側に取り付けられ、可動アーム部材は、スリットの上方で固定アーム部材に可動自在に取り付けられ、固定アーム部材と可動アーム部材の先端間でローラを回転自在に支承するとよい。
【００１２】
上記可動アーム部材は、固定アーム部材に締付ネジを介して取り付けられ、締付ネジを緩めることでスリーブ部材のスリットを開放するように可動されるとよい。
【００１３】
ローラは、スリーブ部材の内周面の曲率に合わせて鼓状に形成されるとよい。
【００１４】
また、ローラは固定アーム部材に設けた支持軸に回転自在に保持され、可動アーム部材には、上記支持軸と係合する係合穴が形成されるとよい。
【発明の効果】
【００１５】
本発明によれば、マンホール内に管口を突出させない光ケーブル用の地下管路であっても光ケーブル等の線条体を傷つけることなく安定してガイドでき、構造を簡易にできると共に、設置を容易にできる。
【発明を実施するための最良の形態】
【００１６】
図１及び図２はケーブル通過摩擦防止器具の斜視図であり、図２はケーブル通過摩擦防止器具に線条体たる牽引ロープを挿通させている状態を示す。図３は、地下管路の管口に嵌入したケーブル通過摩擦防止器具の側面図である。
【００１７】
図１及び図３に示すように、ケーブル通過摩擦防止器具１は、地下管路２の管口３に嵌入される筒体からなるスリーブ部材４と、スリーブ部材４に挿入或いはスリーブ部材４から抜き出される光ケーブル等の線条体５をスリーブ部材４の内周面より浮くようにガイドするローラ６と、ローラ６をスリーブ部材４に支持する支持具７とを備えて構成されている。
【００１８】
図２に示すように、スリーブ部材４は、その筒体内に線条体５を挿通させるためのスリット８を有する。スリット８は、スリーブ部材４の両端間を軸方向に貫通して形成されており、線条体５の中間部を径方向外方から導入したり、径方向外方に導出できるようになっている。スリット８の幅は、スリーブ部材４の外周形状を略円形に保つことができ、かつ、布設すべき光ケーブルを通せるように決定されている。スリーブ部材４の外周形状を略円形に保つことで、地下管路２に挿入したスリーブ部材４を地下管路２内で容易に回転させることができ、ローラ６の向きを適宜調整することができる。また、スリーブ部材４のローラ６側の端部９は径方向に肉厚に形成されると共に内周端を丸めて形成されており、万一線条体５が当たっても線条体５を傷めないようになっている。
【００１９】
図２及び図４に示すように、ローラ６は、スリーブ部材４の内周面の曲率に合わせて鼓状に形成されており、線条体５をその張力でローラ６の中央に案内すると共に、線条体５がローラ６の中央から外れてもスリーブ部材４に擦れるのを防ぐようになっている。また、ローラ６は、ガイドする線条体５がスリーブ部材４の内周面１０より浮き上がるように支持具７に保持されている。
【００２０】
図１及び図４に示すように、支持具７は、スリット８を境にスリーブ部材４の一側に取り付けられた固定アーム部材１１と、スリット８の上方で固定アーム部材１１に可動自在に取り付けられた可動アーム部材１２とからなる。固定アーム部材１１と可動アーム部材１２は、それぞれ一端側をスリーブ部材４の端部９外周の曲率に合わせて弧状に湾曲されており、湾曲された一端同士を連結されることで略馬蹄形を呈している。そして、支持具７は、湾曲された一端側をスリーブ部材４の端部９外周に沿わせて配置されると共に、固定アーム部材１１と可動アーム部材１２の先端（他端）間でローラ６を回転自在に支承するように構成されている。具体的には、ローラ６は、固定アーム部材１１に設けた支持軸１３に回転自在に保持されている。可動アーム部材１２は、固定アーム部材１１に締付ネジ１４を介して取り付けられており、締付ネジ１４を緩めることで締付ネジ１４を中心に回動し、スリーブ部材４のスリット８を開放するようになっている。また、可動アーム部材１２は、先端に支持軸１３の先端部と係合する係合穴１５を有し、係合穴１５に支持軸１３の先端部を挿入させることで支持軸１３の先端部を支持するようになっている。また、締付ネジ１４が挿通される固定アーム部材１１の一端側には、フック１６が設けられており、適宜の位置に掛けられるようになっている。
【００２１】
次に本実施の形態の作用を述べる。
【００２２】
図５に示すように、マンホール１７間に形成された地下管路２に線条体５たる光ケーブル（図示せず）を敷設する場合、まず、通線具（図示せず）を用いて地下管路２に牽引ロープ５ａを通し、図６に示すように地下管路２のそれぞれの管口３にケーブル通過摩擦防止器具１を牽引ロープ５ａを挿通させた状態で取り付ける。このとき、ケーブル通過摩擦防止器具１のローラ６を隣り合う他のケーブル通過摩擦防止器具１に向けるように配置する。
【００２３】
ケーブル通過摩擦防止器具１に牽引ロープ５ａを挿通させる作業は、図２に示すように、締付ネジ１４を緩め、可動アーム部材１２を締付ネジ１４回りに回動させてスリット８を開放したのち、スリット８内に牽引ロープ５ａの中間部を径方向外方から導入し、図１に示すように可動アーム部材１２を回動させてスリット８の上方を閉じることで行う。
【００２４】
この後、図７に示すように牽引ロープ５ａを光ケーブル５ｂに連結すると共にウィンチ等の牽引装置１８に連結し、牽引装置１８で牽引する。これにより、牽引ロープ５ａはそれぞれのケーブル通過摩擦防止器具１のローラ６に押し当てられ、それぞれのローラ６間に管口３の内周面から浮かせた状態で張られることとなる。よって、牽引ロープ５ａ及び牽引ロープ５ａに追従する光ケーブル５ｂが地下管路２の管口３に摩擦されるのを防ぐことができる。またこのとき、ローラ６はスリーブ部材４の径方向外方に押されるため、図３中の矢印で示すようにケーブル通過摩擦防止器具１には地下管路２の管口３の縁を支点として回動する力Ｆが発生する。この力Ｆは、スリーブ部材４の挿入側端部を地下管路２の内周面に押し当るように作用し、地下管路２にケーブル通過摩擦防止器具１を強固に固定する。また、何らかの理由で牽引ロープ５ａ及び牽引ロープ５ａに追従する光ケーブル５ｂが弛んでもケーブル通過摩擦防止器具１はその大部分を地下管路２内に挿入されているため、動くことはなく、安定して牽引ロープ５ａ及び光ケーブル５ｂをガイドすることができる。
【００２５】
また、牽引ロープ５ａで光ケーブル５ｂを牽引しているとき、牽引ロープ５ａや光ケーブル５ｂが外力等を受けて振れ動き、ローラ６から外れた場合であっても、固定アーム部材１１をスリット８を境にスリーブ部材４の一側に取り付け、締付ネジ１４をスリット８に近接させているため、スリット８とローラ６とを十分離間させることができ、牽引ロープ５ａや光ケーブル５ｂがスリーブ部材４のスリット８周辺の縁に当たるのを防ぐ。そして、馬蹄形を呈する支持具７は、ローラ６から外れた牽引ロープ５ａ又は光ケーブル５ｂに当たって牽引ロープ５ａ又は光ケーブル５ｂをガイドし、振れが収まった牽引ロープ５ａ又は光ケーブル５ｂを速やかにローラ６上に戻すように作用する。
【００２６】
このように、管口３に嵌入する筒体からなり、その筒体内に線条体５を挿通させるためのスリット８を有するスリーブ部材４と、スリーブ部材４に挿入或いはスリーブ部材４から抜き出される線条体５をスリーブ部材４の内周面１０より浮くようにガイドするローラ６と、そのローラ６をスリーブ部材４に保持する支持具７とを備えてケーブル通過摩擦防止器具１を構成したため、マンホール１７内に管口３を突出させない光ケーブル用の地下管路２であっても線条体５を傷つけることなく安定してガイドでき、構造を簡易なものにでき、マンホール１７内に容易に設置することができる。
【００２７】
支持具７は、固定アーム部材１１と、可動アーム部材１２とからなり、固定アーム部材１１がスリット８を境にスリーブ部材４の一側に取り付けられ、可動アーム部材１２は、スリット８の上方で固定アーム部材１１に可動自在に取り付けられ、固定アーム部材１１と可動アーム部材１２の先端間でローラ６を回転自在に支承するものとしたため、可動アーム部材１２の位置を動かすことで容易にスリット８を開閉でき、スリーブ部材４に線条体５を容易に挿通できる。そして、支持具７とローラ６とで形成される環状体の中に線条体５を通すこととなるため、万一線条体５がローラ６から外れても支持具７で線条体５をガイドしてローラ６上に戻すことができる。
【００２８】
また、可動アーム部材１２は、固定アーム部材１１に締付ネジ１４を介して取り付けられ、締付ネジ１４を緩めることでスリーブ部材４のスリット８を開放するように可動されるものとしたため、簡単な操作で可動アーム部材１２を動かすことができ、スリット８を容易に開閉できる。
【００２９】
ローラ６は、スリーブ部材４の内周面１０の曲率に合わせて鼓状に形成されるものとしたため、線条体５をローラ６の中央に案内することができると共に、スリーブ部材４の内周面１０の内側にローラ面１９を広い範囲に渡って沿わせることができ、線条体５がスリーブ部材４の内周面１０に当たるのを良好に防ぐことができる。
【００３０】
また、ローラ６は固定アーム部材１１に設けた支持軸１３に回転自在に保持され、可動アーム部材１２には、支持軸１３と係合する係合穴１５が形成されるものとしたため、係合穴１５に支持軸１３を係合させることで固定アーム部材１１に片持支持された支持軸１３の先端を支持することができ、ローラ６を簡単な構造で強固に支持できる。
【００３１】
なお、線条体５として光ケーブル５ｂと牽引ロープ５ａを例示したがこれに限るものではない。線条体５は地下管路２内で光ケーブル５ｂを挿通させるインナーパイプ（図示せず）であってもよく、地下管路２に布設するものであれば他のものであってもよい。ただし、インナーパイプは地下管路２ごとに設置するものであって地下管路２の管口３近傍で切断されるものであるため、スリーブ部材４内にスリット８から出し入れする必要はなく、端部から出し入れしてもよい。インナーパイプはスリット８の幅より大径であってもよい。
【００３２】
また、地下管路２はマンホール１７間に設けられている場合について説明したが、マンホール１７は、ハンドホール（図示せず）であってもよく、他の地下空間であってもよい。
【００３３】
またさらに、マンホール１７内で線条体５を上下に屈曲させる場合について説明したが、これに限るものではない。例えばマンホール１７を境に側方に線条体５を屈曲させる場合にも上述のケーブル通過摩擦防止器具１が有用であるのは勿論である。この場合も、ケーブル通過摩擦防止器具１の使用方法は上述と同様である。すなわち、地下管路２の管口３にケーブル通過摩擦防止器具１を、線条体５の屈曲する側にローラ６を位置させて挿入するとよい。
【図面の簡単な説明】
【００３４】
【図１】ケーブル通過摩擦防止器具の斜視図である。
【図２】ケーブル通過摩擦防止器具の斜視図である。
【図３】地下管路の管口に嵌入したケーブル通過摩擦防止器具の側面図である。
【図４】ケーブル通過摩擦防止器具の正面図である。
【図５】地下管路に牽引ロープを通線する第１工程を示す説明図である。
【図６】地下管路にケーブル通過摩擦防止器具を挿入する第２工程を示す説明図である。
【図７】牽引ロープで光ケーブルを牽引する第３工程を示す説明図である。
【図８】従来の光ケーブル布設作業を示す説明図である。
【符号の説明】
【００３５】
１  ケーブル通過摩擦防止器具
２  地下管路
３  管口
４  スリーブ部材
５  線条体
６  ローラ
７  支持具
８  スリット
１０  内周面
１１  固定アーム部材
１２  可動アーム部材
１３  支持軸
１４  締付ネジ
１５  係合穴
【図１】
2006115657.tif 000003
【図２】
2006115657.tif 000004
【図３】
2006115657.tif 000005
【図４】
2006115657.tif 000006
【図５】
2006115657.tif 000007
【図６】
2006115657.tif 000008
【図７】
2006115657.tif 000009
【図８】
2006115657.tif 000010